(57)【特許請求の範囲】
【請求項１】
輪転印刷機に材料ウェブを引き込む装置であって、フレキシブルな有限の引込エレメントが設けられており、該引込エレメントの長さが、互いに隣り合う駆動エレメントの相互間隔よりも僅かに大きく、フレキシブルな引込エレメント（２）内に回転対称体（５）が挿入されており、該回転対称体が引込エレメントを案内し、ガイド（１）内部における引込エレメントの摩擦を減じるようになっており、さらに引込エレメント（２）がガイド（１）との摩擦を減じる被覆体（１１）を備えている形式のものにおいて、前記回転対称体（５）が球体として形成されており、前記引込みエレメント（２）が、規則的に互いに所定の間隔を有する複数の開口（３）を備えており、これらの開口が円形横断面を有しており且つ当該開口内に前記球体が自由に回転可能に配置されており、前記ガイド（１）が、前記球体に接触する接触面を有していることを特徴とする、輪転印刷機に材料ウェブを引き込む装置。
【請求項２】
開口（３）が摩擦を減じる材料（１１，１６．１，１６．３）でライニングされている、請求項１記載の装置。
【請求項３】
開口（３）の壁がテフロン（１６．１，１６．３）で被覆されている、請求項２記載の装置。
【請求項４】
開口（３）内にテフロンフレーム（１７）が挿入されている、請求項１記載の装置。
【請求項５】
開口（３）内にプラスチックケージ（１８）が挿入されている、請求項１記載の装置。
【請求項６】
開口（３）内にボールケージ（１５）が挿入されている、請求項１記載の装置。
【請求項７】
ガイド（１，９，１０）が、回転対称体（５）のための接触面（９，１０）に、摩擦を減じる被覆体（１１，１６．３）を備えている、請求項１から６までのいずれか１項記載の装置。
【請求項８】
引込エレメント（２）が複合体構造（１６）として形成されている、請求項１記載の装置。
【請求項９】
少なくとも１つの抗張性の層（１６．２）が別の層（１６．１，１６．３）によって覆われている、請求項１記載の装置。
【請求項１０】
引込エレメント（２）が、乾燥ユニット（３０）を通って案内される時に、チェーン（３３）によって下方から係合されるようになっている、請求項１記載の装置。
【請求項１１】
引込エレメント（２）が、乾燥器（３０）を通過するときに、回転対称体（５）に下方から係合するチェーンリンク（３７）によって、形状結合式に案内されるようになっている、請求項１０記載の装置。
【請求項１２】
駆動エレメント（７）が円筒体であり、該円筒体の外周面に多数の切欠き（８）が位置しており、該切欠きが引込エレメント（２）の回転対称体（５）に被さって係合するようになっている、請求項１から１１までのいずれか１項記載の装置。
【請求項１３】
駆動エレメント（７）がそれぞれ２つの摩擦ローラ（４６，４７）を有しており、該両摩擦ローラが、該両摩擦ローラ相互間に、回転対称体（５）を備えた引張りエレメント（２）を収容しており、摩擦ローラ（４６，４７）相互間に切欠き（４９）が配置されており、該切欠きが、引込エレメント（２）が摩擦ローラ（４６，４７）によって送られるときに、回転対称体（５）の通過を許すようになっている、請求項１から１１までのいずれか１項記載の装置。
【発明の詳細な説明】
【０００１】
【発明の属する技術分野】
本発明は、輪転印刷機に材料ウェブを引き込む装置であって、フレキシブルな有限の引込エレメントが設けられており、該引込エレメントの長さが、互いに隣り合う駆動エレメントの相互間隔よりも僅かに大きく、フレキシブルな引込エレメント内に回転対称体が挿入されており、該回転対称体が引込エレメントを案内し、ガイド内部における引込エレメントの摩擦を減じるようになっており、さらに引込エレメントがガイドとの摩擦を減じる被覆体を備えている形式のものに関する。
【０００２】
【従来の技術】
米国特許第４９８７８３０号明細書において輪転印刷機のためのウェブ引込装置が開示されている。このような装置においては、相並ぶ多数のガイドレールが種々異なるウェブ路に沿って配置されている。これらのガイドレールには、リニアエレメントが収容されている。このリニアエレメントは、予め規定されたウェブ路に沿って案内可能である。このリニアエレメントにはレバーが取り付けられている。このレバーの、ウェブに向いた側は、スナップクロージャを備えている。このスナップクロージャで、新たに挿入しようとするウェブをレバーに懸吊することができ、ウェブはこのレバーにおいて輪転印刷機を通るように引張られる。リニアエレメントは、ガイドレールに沿って配置された多数の駆動ステーションによって運動させられる。リニアエレメントの長さは、この長さが隣接する２つの駆動ステーション相互の間隔を僅かに上回るように選択されている。
【０００３】
特開平２−２６５８４８号公報は、輪転印刷機のための、紙を引き込むための装置に関するものである。この手段においては、導入しようとするウェブが、紙ロール支承部から印刷装置を介して折り装置にまで案内される。機械構成部分によって予め規定されたこのようなウェブ路に沿って、ガイド路が形成されている。紙ウェブを導入するための引込エレメントは帯状に形成されており、少なくとも一方の側に規則的に配置された複数の開口または隆起部を有している。これらの開口は、帯状の引込エレメントを完全に貫通していてもよい。さらに、この帯状の引込エレメントには、固定して挿入しようとする材料ウェブ始端部のための受容区分が設けられている。多数の駆動ステーションから成る駆動系が、帯状の引込エレメントの開口または隆起部内に係合しており、これにより、引込エレメントが輪転印刷機を通して案内される。
【０００４】
さらに、ＤＥ２４０２７６８に基づき、輪転印刷機に材料ウェブを引き込む装置が既に公知である。この構成においては、フレキシブルな有限の引込エレメントが設けられており、この引込エレメントの長さが、互いに隣接する駆動エレメントの相互間隔よりも僅かに大きく、これらの駆動エレメントのうちのいくつかは引込エレメントを、引込路に沿って設けられたガイド内および転轍器内で運動させるために設けられている。引込路に沿って、その都度必要とされる駆動エレメントをスイッチオンすると同時に、もはや必要でない駆動エレメントをスイッチオフするためのフィーラが設けられており、これらのフィーラは引込エレメントによって操作可能である。
【０００５】
【発明が解決しようとする課題】
本発明の課題は、冒頭で述べた形式の、ウェブを引き込む装置を改良して、ウェブが全ての引込路内においてできる限り摩擦の少ない状態で運動することが保証され、さらにウェブが手による干渉なしに全ての印刷機構成部分を通るように引き込まれるような装置を提供することである。
【０００６】
【課題を解決するための手段】
この課題を解決するために本発明の構成では、前記回転対称体が球体として形成されており、前記引込みエレメントが、規則的に互いに所定の間隔を有する複数の開口を備えており、これらの開口が円形横断面を有しており且つ当該開口内に前記球体が自由に回転可能に配置されており、前記ガイドが、前記球体に接触する接触面を有しているようにした。
【０００７】
【発明の効果】
本発明による手段によって得られる利点は多様なものである。引込エレメントが摩擦が極端に小さく形成されていることにより、それぞれの材料ウェブのための引込路に沿ったガイドを通って、引込エレメントが容易に走行することができる。引込エレメントが最高３００℃の高温の乾燥器を通って案内されることも可能である。しかもこの場合、ウェブ始端部が輪転印刷機を通って案内されることが妨げられることはない。さらに本発明による手段は、予め規定可能な他のウェブ路に従うために、転轍器の容易な通過を可能にする。
【０００８】
本発明の別の構成では、引込エレメントに回転対称体が挿入されていてよい。この回転対称体は球体またはピン等であってよい。引込エレメントに回転対称体を配置するために、この引込エレメントには、回転対称体を収容するための開口が設けられている。引込エレメントに設けられたこれらの開口は摩擦の少ない材料でライニングされている。これにより、引込エレメントの開口内で回転対称体ができるだけ摩擦の少ない状態で運動することが可能になる。このために開口は例えばテフロン被覆またはテフロンライニングを施されていてよい。さらに、これらの開口にはプラスチックケージまたはボールケージが挿入されていてよい。これらのケージ内で回転対称体が回転し、引込エレメント内で保持される。
【０００９】
ガイド内における引込エレメントの運動を容易にするために、回転対称体に接触する、ガイドの接触面が、摩擦を減じる被覆体を備えていてよい。
【００１０】
さらに、引込エレメントが複合材料体として形成されていてよく、この複合材料体は多層構造を有している。必要な引張り強さを有する１つまたは複数の層の両側に、摩擦の少ない層、例えばテフロンが被着されていてよい。
【００１１】
挿入しようとする材料ウェブを、輪転印刷機の乾燥器を通して自動的に案内することを保証するために、引込エレメントが乾燥器の領域で、チェーンによって下方から係合させられており、このチェーンのチェーンリンクが、個々の回転対称体の下方に案内される。これにより引込エレメントはチェーンのチェーンリンクに載置されて乾燥器を通って案内される。
【００１２】
【発明の実施の形態】
次に本発明を図面に示した実施の形態について説明する。
【００１３】
図１は、部分的にガイドによって取り囲まれた引込エレメントの前領域を示している。
【００１４】
アルミニウムまたは耐熱性のプラスチックから製造されていてよい成形体として形成されたガイド１は、帯状の引込エレメント２をほぼ取り囲んでいる。この引込エレメントは複数の開口３を備えている。これらの開口３は規則的に互いに所定の間隔を有していて、個々の回転対称体５、ここでは例えば球体を収容するのに役立つ。球体のほかに、ピンまたは、引込エレメント２の開口３内に差込可能な類似のものが考えられる。引込エレメント２の前領域は拡張部４を備えている。この拡張部には、挿入しようとする材料ウェブのウェブ始端部が固定可能である。固定形式についてはここでは詳細には触れない。
【００１５】
ガイド１は、回転対称体５が通過する横断面１０と、長手方向に延びるスリット状の開口９とを備えている。この開口９には、引込エレメント２がほぼ収容されるように位置している。ガイド１に沿って互いに規則的な間隔を置いて、係合開口６が設けられている。これらの係合開口には駆動エレメント７が係合している。これらの駆動エレメントは図２に示した駆動装置１２に受容されている。駆動エレメント７は図１においては円筒体として形成されている。この円筒体の周面には、複数の切欠き８が位置している。これらの切欠きは引込エレメント２の回転対称体５に被さって係合し、円筒体の回転時に引込エレメント２の送りを生ぜしめる。駆動ステーションの駆動装置１２は電動モータ、ニューマチック駆動装置またはハイドロリック駆動装置であってよい。これらの駆動装置は引込路に沿って配置されていて、輪転印刷機を通して引込エレメント２を一様に送ることのために役立つ。
【００１６】
引込エレメント２の滑り特性を改善するために、この引込エレメントは上面および下面にテフロン層１６．１；１６．３から成る被覆体１１を備えていてよい。これにより、駆動装置１２に必要な駆動出力を減じることができ、引込エレメント２の送りの均一化が達成される。
【００１７】
その都度前方・後方に向かって駆動可能な駆動装置１２は軸１３を介して駆動エレメント７に作用する。この駆動エレメントの切欠き８は回転対称体５に上方から被さって係合する。
【００１８】
図３はガイド１の変向部を示している。引込エレメント２に回転対称体５が相互間隔を置いて位置していることに基づき、この引込エレメントは図３に示したような極端な変向角度を有する個所も通過することができる。しかもこの場合、引込エレメント２はガイド１に当接することはない。さらに引込エレメントの可撓性に基づき、引込エレメントはいかなるシャープな曲率にも順応することができる。これにより拡張部４に受容された材料ウェブ始端部を、機械を通して、つまり、ウェブの著しい変向が発生する可能性のあるターンバー上部構造をも通して案内することができる。
【００１９】
図４には、引込エレメントに回転対称体を収容するためのいくつかの変化実施例が示されている。
【００２０】
引込エレメント２は例えばプラスチック１４から製造されていてよい。このプラスチックの開口３には球体として形成された回転対称体５が挿入されている。引込エレメント２の上面も下面も、テフロン層１６．１；１６．３のような摩擦を減じる被覆体を備えている。さらに開口３の壁も被覆されていてよい。選択的に回転対称体５がボールケージ１５内で位置固定されていてもよい。引込エレメント２が多層状の複合体構造を有している場合、回転対称体５はやはり引込エレメント２の開口３に挿入されている。１つまたは複数の抗張性の層１６．２の両側には、摩擦を減じるテフロン層１６．１，１６．３が被着されている。複合体１６の構造に応じて、この複合体に設けられる層の数を変化させることができる。さらに、回転対称体５は引込エレメント２のテフロンフレーム１７によって取り囲まれていてよい。回転対称体５をほぼ取り囲むこのようなフレームは、球体５の摩擦の少ない運動を可能にする。しかもこれらの球体は各開口３にセンタリングされた状態でとどまる。さらに、プラスチックケージ１８も考えられる。これらのプラスチックケージは開口３内に挿入することができ、これにより、回転対称体５を摩擦の少ない状態で案内することができる。テフロンフレーム１７およびプラスチックケージ１８を備えた引込エレメント２の変化実施例の場合、引込エレメント２はやはり、テフロン層１６．１；１６．３のような摩擦の少ない被覆体を備えていてよい。
【００２１】
図５は、選択されたウェブ案内路の一例を選択的に示したものである。このウェブ案内路に沿って、図１〜図４に示した引込エレメント２が輪転印刷機を通って案内される。ここに示したウェブ路に沿って複数の駆動ステーションＡ〜Ｈが配置されている。これらの駆動ステーションＡ〜Ｈはそれぞれ１つの駆動装置１２を有している。この駆動装置は駆動エレメント７を駆動する。各駆動ステーションＡ〜Ｈにはフィーラ対またはスイッチ対１９，２０が配設されている。このスイッチ対によって、引込エレメント２自体により作動されて、各駆動ステーションがスイッチオンされ、もしくはウェブ路に沿って手前に位置する駆動ステーションＡ〜Ｈが再びスイッチオフされる。互いに隣り合う駆動ステーション１２、例えば駆動ステーションＡ，Ｂの相互間隔は、引込エレメント２の長さよりも僅かに小さく選択されている。図５に示したウェブ路から判るように、転轍器（ポイント）２２に複数のウェブ路が互いに開口していてよい。この転轍器２２自体はピストン・シリンダユニット等の位置調節用駆動装置２１等によって運動させられる。引込エレメント２における回転対称体５の支承部に関しても、ガイドの、回転対称体のための横断面１０に関しても、その摩擦の少ない構成によって引込エレメント２は、図３に示したような極端な変向を遂行し、しかもこの場合、ガイド１の内面に当接したり、この内面を研削することによって輪転印刷機への材料ウェブの引込をストップさせることはない。
【００２２】
なお、ガイド１に沿って輪転印刷機を通して引込エレメント２を送るために、駆動エレメント７の周面に設けられた切欠き８の相互間隔が、引込エレメント２に収容された回転対称体５の相互間隔に合致している。
【００２３】
しかしながら、材料ウェブを案内するための図示していない変化実施例によれば、異なる駆動ステーションＡ，Ｂ，Ｃ，Ｄ，Ｅ，Ｆ，Ｇ，Ｈを同時に連続的に駆動することも可能である。このような場合には、図示のスイッチ装置は省くことができる。
【００２４】
図６，７は、図５に示した、ウェブ引込路内に組み込まれた転轍器２２の異なる位置調節ポジションを示したものである。この転轍器２２自体は、それぞれ位置調節用駆動装置２１を有している。この位置調節用駆動装置については以下では詳しくは触れない。滑子ガイド２３に、ベースプレート２４が位置調節用駆動装置２１によってシフト可能に受容されている。このシフト可能なベースプレート２４にはガイド１の通過エレメント２８ならびにガイド１の変向エレメント２９が固定されている。ガイド路２５の終端部に到来した引込エレメント２は、図６に示された転轍器２２の位置調節状態においては、変向エレメント２９つまりこの変向エレメントの、ガイドの横断面１０を有するスリット９内に走入する。これにより、引込エレメント２は更なるガイド路２７内で輪転印刷機を通って搬送される。このことは図５において互いに間隔を置いた状態で示した駆動ステーションＡ〜Ｈによって行なわれる。図６に示した転轍器２２の状態では、通過エレメント２８は非作動状態のままであり、ガイド路２５の継続部２６は引込エレメント２の導入部からは分断されている。
【００２５】
図７は転轍器２２の別の位置調節ポジションを示すものである。この位置調節ポジションではベースプレート２４は位置調節用駆動装置２１によってシフトさせられて、引込エレメント２がガイド路２５から通過エレメント２８を介してガイド路２５の継続部２６内に連続的に貫通案内される。このような場合には、ベースプレート２４に固定された変向エレメント２９ならびにその更なるガイド路２７は空のままである。
【００２６】
図８は、ウェブ引込エレメントの下方に作用する搬送チェーンによって乾燥器領域を通過する引込エレメント２を示したものである。
【００２７】
約３００℃の高温の乾燥器３０を通るように引込エレメント２を案内するために、乾燥器の走入開口３５の手前と走出開口３４の後方とにそれぞれ、既に説明したような駆動エレメント７が設けられている。乾燥器３０の領域で下方に向かって開いたガイド１の下方には、環状の搬送チェーン３３が設けられている。この搬送チェーンはスプロケット３１，３２の周りを循環し、これらのスプロケットによって矢印に相当するウェブ搬送方向に駆動される。引込エレメント２および搬送チェーン３３の送りはタイミング制御式に行なわれて、チェーン３３の個々のチェーンリンクつまりチェーンの節はそれぞれ１つの回転対称体５を引込エレメント２で支持する。図示の回転対称体５は個々のチェーンリンク３７に載置されて、チェーン路３６に沿ってチェーンリンクが送られることにより、乾燥器３０の領域を通って搬送される。乾燥器３０の前後にそれぞれ配置された駆動エレメント７は、図１〜５につき既に説明した形式で引込エレメント２を搬送する働きを有している。この場合駆動エレメントの切欠き８は回転対称体５に被さって係合する。
【００２８】
このような手段により、乾燥器３０内で耐熱性を有する駆動装置を配置し、さらにこの装置を絶縁する手間が回避される。このことはコスト節約に貢献する。環状の搬送チェーン３３は標準的な部材であるので低廉である。引込エレメント２に下方から係合するためには、ガイド１の領域で、ガイドの下面を開いたままにして、これによりチェーンリンク３７が回転対称体５に下方から係合するようにすればよいだけである。
【００２９】
従って、本発明による解決手段によって、例えばターンバー上部構造において生じるような極端なウェブ変向も、乾燥器領域の通過も、手による干渉なしに自動的に遂行することができる。
【００３０】
さらに図９および図１０には、引込エレメント２のための駆動エレメント７の別の実施例が示されている。この実施例によれば、駆動エレメント７は、ボックス４８の内部に配置された２つの摩擦ローラ４６，４７を有している。これらの両摩擦ローラは、それらの各軸を中心にして、図２に示したものと同様の形式で駆動される。これらの摩擦ローラ４６，４７は、回転対称体５を備えた引込エレメント２をこれらの両摩擦ローラの間で挟むことができる。これらの摩擦ローラ４６，４７の回転は引込エレメント２の送りを生ぜしめる。図９にさらに示したように、両摩擦ローラ４６，４７の間には切欠きが設けられている。この切欠きは、引込エレメント２の送り中に、回転対称体５が摩擦ローラ４６，４７相互間を通過することを可能にする。
【図面の簡単な説明】
【図１】引込エレメントの前部領域を、部分的にガイドによって取り囲んだ状態で示す図である。
【図２】引込エレメントのための駆動ステーションを示す図である。
【図３】ガイドの変向部を示す図である。
【図４】回転対称体を引込エレメント体に収容するための種々の手段を示す図である。
【図５】ウェブ導入路の選択された一例を示す図である。
【図６】引込エレメントのための転轍器を１つの切換位置で示す図である。
【図７】引込エレメントのための転轍器を別の切換位置で示す図である。
【図８】引込エレメントの下方で作用する搬送チェーンによって乾燥器領域を通過する引込エレメントを示す図である。
【図９】本発明による引込エレメントの駆動ステーションを概略的に示す斜視図である。
【図１０】図９の摩擦ローラを、ボックス内部に配置された状態で概略的に示す斜視図である。
【符号の説明】
１  ガイド、  ２  引込エレメント、  ３  開口、  ４  拡張部、  ５  回転対称体、  ６  係合開口、  ７  駆動エレメント、  ８  切欠き、  ９  開口、１０  横断面、  １１  被覆体、  １２  駆動装置、  １３  軸、  １４  プラスチック、  １５  ボールケージ、  １６  複合体構造、  １６．１  テフロン層、  １６．２  抗張性の層、  １６．３  テフロン層、  １７  テフロンフレーム、  １８  プラスチックケージ、  １９，２０  スイッチ対、  ２１  位置調節用駆動装置、  ２２  転轍器、  ２３  滑子ガイド、  ２４  ベースプレート、  ２５  ガイド路、  ２６  継続部、  ２７  更なるガイド路、  ２８  通過エレメント、  ２９  変向エレメント、  ３０  乾燥器、  ３１，３２  スプロケット、  ３３  搬送チェーン、  ３４  走入開口、  ３５  走出開口、  ３６  チェーン路、  ３７  チェーンリンク、  ４６，４７  摩擦ローラ、  ４８  ボックス、  ４９  切欠き、  Ａ〜Ｈ  駆動ステーション
【図１】
0004324255.tif 000002
【図２】
0004324255.tif 000003
【図３】
0004324255.tif 000004
【図４】
0004324255.tif 000005
【図５】
0004324255.tif 000006
【図６】
0004324255.tif 000007
【図７】
0004324255.tif 000008
【図８】
0004324255.tif 000009
【図９】
0004324255.tif 000010
【図１０】
0004324255.tif 000011